(57)【要約】【課題】既設の洋式トイレに簡便に設置可能であり、利用者が前傾姿勢にならずに便蓋を開閉することができる便蓋開閉具を提供する。【解決手段】  洋式トイレ１の便蓋５に取り付けられる便蓋開閉具１０であって、便蓋５に取り付けられる取付部１１と、便蓋５が閉じた状態で、取付部１１から上方に向かって延在し、上端部分が一般成人の腰部の高さ程度に位置する把持部１２とを備えている。また、取付部１１は、便蓋５の上側平面部５ｂに吸着される吸盤で構成されている。【選択図】図１
0003198527.tif 000002
【実用新案登録請求の範囲】
【請求項１】
洋式トイレの便蓋に取り付けられる便蓋開閉具であって、
前記便蓋に取り付けられる取付部と、
前記便蓋が閉じた状態で、前記取付部から上方に向かって延在し、上端部分が一般成人の腰部の高さ程度に位置する把持部と
を備えたことを特徴とする洋式トイレの便蓋開閉具。
【請求項２】
前記取付部は、前記便蓋の上側平面部に吸着される吸盤で構成されていることを特徴とする請求項１に記載の洋式トイレの便蓋騎兵具。
【請求項３】
前記把持部の下端部分が前記取付部に対して回動自在に取り付けられていることを特徴とする請求項１または請求項２に記載の洋式トイレの便蓋開閉具。
【請求項４】
前記取付部が前記便蓋に取り付けられた状態で、前記取付部の上側を覆い隠すシールを備えたことを特徴とする請求項３に記載の洋式トイレの便蓋開閉具。
【考案の詳細な説明】
【技術分野】
【０００１】
本考案は、洋式トイレの便蓋を開閉するための開閉具に関するものである。
【背景技術】
【０００２】
一般的な洋式トイレでは便座の上側全体を覆うように便蓋が設けられ、この便蓋は単体で或いは便座と一緒に上下に開閉できるようになっている。これらの便座および便蓋は、閉じた状態で使用者が着座したときの腰の高さにあるため、利用者が便蓋を開く場合には、腰を曲げて前傾姿勢になり、便蓋を直接手で持って開閉するようになる。また、近年では、センサー等を用いて利用者を検知した場合に、自動的に便蓋を開閉するものも販売されている。
【０００３】
また、このような便蓋は利用者に不衛生な心証を与えるため、直接に便座を持たずに開閉する開閉具が発案されている（例えば、特許文献１〜３参照）。これらの文献では、便蓋の側縁部に便蓋の面と略平行に延びる突起を設け、この突起を利用者が開閉時に手で直接触るようにしたものである。これにより、利用者は便蓋を直接に触る必要がなく、心理的な不衛生感を払拭できるという効果を奏している。
【先行技術文献】
【特許文献】
【０００４】
【特許文献１】特開２０１１−１６１１９５号公報
【特許文献２】実用新案登録第３０１５５２８号公報
【特許文献３】特開２０１２−２４９９２６号公報
【考案の概要】
【考案が解決しようとする課題】
【０００５】
洋式トイレの便蓋を開閉するには、上述したように利用者が腰を曲げて前傾姿勢になる必要がある。そのため、高齢者や特に腰の悪い方は、トイレを使用する度に腰を曲げる作業が大変である。また、上述した特許文献１〜３の技術であっても、利用者が着座したときの腰の高さに突起があり、開閉するには利用者が腰を曲げて前傾姿勢になることに変わりがない。
【０００６】
また、センサーで利用者を検知して自動開閉するものは、既設の洋式トイレを一式交換する必要があるため、現状では設置費用が高く一般家庭で広く普及するまでには至っていない。
【０００７】
本考案は、上述した事情を鑑みてなされたものであり、既設の洋式トイレに簡単に設置可能であり、利用者が前傾姿勢にならずに便蓋を開閉することができる便蓋開閉具を提供するためのものである。
【課題を解決するための手段】
【０００８】
上述課題を解決するため、本考案に係る洋式トイレの便蓋開閉具は、便蓋に取り付けられる取付部と、前記便蓋が閉じた状態で、前記取付部から上方に向かって延在し、上端部分が一般成人の腰部の高さ程度に位置する把持部とを備えたことを特徴とする。
【０００９】
さらに、前記取付部は、前記便蓋の上側平面部に吸着される吸盤で構成されていてもよい。
【００１０】
また、前記把持部の下端部分が前記取付部に対して回動自在に取り付けられていてもよい。
【００１１】
また、前記取付部が前記便蓋に取り付けられた状態で、前記取付部の上側を覆い隠すシールを備えるようにしてもよい。
【考案の効果】
【００１２】
本考案によれば、前記便蓋に取り付けられる取付部と、前記便蓋が閉じた状態で、前記取付部から上方に向かって延在し、上端部分が一般成人の腰部の高さ程度に位置する把持部とを備えているので、利用者が便蓋を開くときに腰の高さにある把持部を掴んで持ち上げるだけで便蓋を開くことができる。そのため、利用者は、起立した自然な状態で手を伸ばして便蓋を開閉することができ、腰を曲げた前傾姿勢になる必要がなく、腰に負担をかけずに開くことができる。
【００１３】
また、取付部を便蓋に取り付けるだけで済むので既設の洋式トイレに簡単に設置することができる。また、電動で便蓋が開く洋式トイレと比較して、費用をかけずに安価に設置することができる。
【図面の簡単な説明】
【００１４】
【図１】本考案の実施の形態に係る洋式トイレの便蓋開閉具を取り付けた洋式トイレの概要図であって、便蓋を閉じた状態である。
【図２】便蓋開閉具の把持部と取付部との取付部分の断面を拡大して示す正面図である。
【図３】本考案の変形例であって、図１に対応するものである。
【図４】図３の便蓋開閉具の取付部と便蓋との取付部分の断面を拡大して示す正面図である。
【図５】本考案の変形例であって、図４に対応するものである。
【図６】本考案の変形例であって、図４に対応するものである。
【考案を実施するための形態】
【００１５】
以下、本考案の実施形態に係る洋式トイレの便蓋開閉具について、図１および図２を用いて説明する。なお、以下の説明で使用する上下、左右（幅）、奥行き方向とは、図１を手前側から見た方向をいうものとする。
【００１６】
一般的に使用されている洋式トイレ１は、図１に示すように、便器２と、この便器２の奥側に位置し、洗浄水を貯留するロータンク３とで構成されている。また、便器２の上側には、利用者が着座するための便座４と、この便座４の上側を覆うように便蓋５が設けられている。この便座４および便蓋５は、奥側に位置する回動軸６を中心に、手前側から奥側に持ち上げる態様で開閉するようになっている。
【００１７】
この便器２の高さは、一般成人がいすのように腰掛けて利用することができる高さになっている。そのため、便座４および便蓋５は、閉じた状態でこの便器２の上部の高さ位置にある。利用者がこの洋式トイレ１を利用する際には、回動軸６を中心にして便座４および便蓋５を奥側に持ち上げて使用することになる。
【００１８】
また、便蓋５には、図１に示すように、便蓋開閉具１０が設けられている。この便蓋開閉具１０は、便蓋５の縁部５ａに取り付けられる取付部１１と、この取付部１１から棒状に延びる把持部１２とで構成されている。
【００１９】
取付部１１は、図２に示すように、吸盤で構成されており、上側から押圧力Ｆを付与することで便蓋５の上側平面部５ｂに吸着される。また、取付部１１の上側には、左右に起立壁１１ａ、１１ａがそれぞれ形成されている。この起立壁１１ａ、１１ａは、丸棒状の軸１３の両端をそれぞれ支承している。
【００２０】
把持部１２は、丸棒或いは角棒などで構成されている。把持部１２の上端は、図１に示すように、角のない球状に形成されている。また、把持部１２の下端部分は、図２に示すように、上述した軸１３が挿通され、この軸１３を中心に取付部１１に対して回動できるようになっている。
【００２１】
把持部１２は、弾性を有する樹脂材料或いはゴム材料などによって形成されている。これにより、万が一に利用者の身体が把持部１２に強く当たったときには、自ら変形或いは破壊されるようになる。
【００２２】
把持部１２の長さは、図１に示すように便蓋を閉じた状態で、一般成人が起立したまま腰を屈めずに把持部１２を掴める程度の長さに形成されている。すなわち、把持部１２の上端部分が一般成人の腰部の高さ程度に位置するようにすればよい。
【００２３】
また、図２に示すように、把持部１２が取付部１１に取り付けられた状態では、把持部１２の側面が起立壁１１ａ、１１ａの内面と接触している。把持部１２は、この起立壁１１ａとの摩擦力を常に受けることによって、回動した位置で停止するようになる。なお、この摩擦力は、利用者が把持部１２を上側に引き上げることによって把持部１２が容易に回動する程度にしてある。
【００２４】
このように、便蓋開閉具１０は、便蓋５に容易に取り付けることができるので、既設の洋式トイレを改造或いは新設することなく取り付けることができる。そのため、自動で便蓋を開閉する洋式トイレと比較して費用面で大きなメリットがある。
【００２５】
次に、本考案に係る便蓋開閉具１０の作用について説明する。
便蓋開閉具１０は、図１に示すように、便蓋５が閉じられた状態で、便蓋５の縁部５ａの上側平面部５ｂに固定される。この状態で、把持部１２は、上側平面部５ｂから上方に向けて延びる態様で取り付けられる。
【００２６】
便蓋開閉具１０は、便蓋５に常に設置されているようにしてもよく、利用者が使用する際に吸盤を押し付けて固着し、その都度便蓋開閉具１０を着脱するようにしても構わない。或いは、便蓋開閉具１０を持ち運び、利用する他の洋式トイレ１に取り付けて使用することもできる。
【００２７】
利用者が洋式トイレ１を利用する際には、この把持部１２を掴み、奥側のロータンク３３に押すような態様で上側に引き上げる。これにより、便蓋５は上側へ持ち上がり、利用者は腰を屈めずに便蓋５を開くことができる。また、利用者は、便蓋５を直接手で掴んで持ち上げなくてもよいので、不衛生感を感じることなく便蓋５を開くことができる。
【００２８】
また、便蓋５を開いたときに把持部１２が奥側に位置するロータンク３と当たらない場合にはそのままでもよいが、当たってしまう場合には、把持部１２を軸１３（図２参照）を中心に手前側（図１の矢印方向）へと回動させる。これにより、把持部１２が邪魔にならずに便蓋５を完全に開いた状態にすることができる。
【００２９】
本考案の実施形態に係る便蓋開閉具１０によれば、便蓋５に取り付けられる取付部１１と、便蓋５が閉じた状態で、取付部１１から上方に向かって延在し、上端部分が一般成人の腰部の高さ程度に位置する把持部１２とを備えているので、利用者が便蓋５を開くときに腰の高さにある把持部１２を掴んで持ち上げるだけで便蓋５を開くことができる。そのため、利用者は、起立した自然な状態で手を伸ばして便蓋５を開閉することができ、腰を曲げた前傾姿勢になる必要がなく、腰に負担をかけずに便蓋を開くことができる。
【００３０】
また、取付部１１を便蓋５に取り付けるだけで済むので既設の洋式トイレ１に簡単に設置することができる。また、電動で便蓋が開く洋式トイレと比較して、費用をかけずに安価に設置することができる。
【００３１】
また、把持部１２の下端部分が取付部に対して回動自在に取り付けられているので、便蓋５を開くときに把持部１２がロータンク３等に当たって開かないことがなくなる。
【００３２】
さらに、取付部１１は、便蓋５の上側平面部５ｂに吸着される吸盤で構成されているので、利用者は、閉じた便蓋５の上側平面部５ｂに吸盤を上側から押し付けるだけで取り付けることができる。そのため、取付作業をする際にも腰を曲げる必要がなく、簡単に便蓋開閉具１０を取り付ける（吸着）させることができる。また、既設のトイレに設置することができるので、洋式トイレの改造等をする必要がない。さらに、繰り返して便蓋開閉具１０を便蓋５に着脱したり、便蓋開閉具１０を用いて便蓋５を開閉したとしても、便蓋５に傷を付けたり破損したりすることがない。
【００３３】
以上、本考案の実施形態に係る便蓋開閉具１０について述べたが、本考案は既述の実施形態に限定されるものではなく、本考案の技術思想に基づいて各種の変形および変更が可能である。
例えば、本実施の形態では、取付部１１を吸盤で構成しているが、これに限定されるものではない。例えば図３および図４に示すように、便蓋５の縁部５ａを把持するようにして取り付けることもできる。
【００３４】
この便蓋開閉具５０の取付部５１は、断面略コ字形状に形成されている。便蓋５の縁部５ａには、図４に示すように、下方に向けて延びるリム５６が向けられている場合が多い。そのため、取付部５１のコ字形状の開口は、種々の便蓋のリム５６が入り込む大きさに形成されている。
【００３５】
また、取付部５１の下側にはねじ穴５４が形成されており、このねじ穴５４に押圧用のねじ５５が螺合している。取付部５１は、このねじを締め込むことによって、便蓋５を上下に挟み込むようにして固定される。この取付部５１と便蓋５が直接に接触する部分には、例えばゴム等のクッション材を設けることで、便蓋５が傷ついたり破損したりするのを防止するようにしてもよい。
【００３６】
なお、図５に示すように、取付部５１の内側の上面に吸盤１１を設け、この吸盤１１が便蓋５の上側平面部５ｂに吸着するようにしてもよい。これにより、挟み込んで固定される力と、吸盤１１の吸着力とによって、便蓋開閉具５０をより確実に固定することができる。
【００３７】
一方、本実施の形態では、把持部１２は起立壁１１ａと摩擦力を受けて回動姿勢を維持するようにしているが、これに限定されない。例えば、便蓋５を閉じて把持部１２が上下方向に延在している状態（図１の状態）では、上述した摩擦力によってその姿勢を維持しているが、把持部１２を手前側に回動させたときには、この摩擦力が作用しない（接触しない）ようにしてもよい。
【００３８】
これによれば、把持部１２を上側に持ち上げるだけで、把持部１２が取付部１１に対して回動するようになる。そのため、利用者は、便蓋５の開閉角度によらずに把持部１２を上側に引き上げるだけで便蓋５を開くことができるようになり、より容易に開閉作業を行うことができる。
【００３９】
また、取付部１１と把持部１２の回動構造は、便蓋５を開いたときに把持部１２がロータンク３と干渉しないようであれば、設ける必要はない。例えば、図４に示すように、取付部５１に把持部１２を直接固定して取り付けるようなものであってもよい。
【００４０】
さらには、図６に示すように、把持部１２を屈曲させて、取付部５１から斜め外側に向けて延びる傾斜部１２ａと、この傾斜部１２ａの上端から上側に延びる垂直部１２ｂとで把持部１２を構成してもよい。この傾斜部１２ａは、便蓋５を開いたときに垂直部１２ｂがロータンク３と干渉しない位置まで斜めに延びている。これにより、図２で示すような回動構造が不要になる。
【００４１】
さらに、本実施の形態で示す取付部１１は、吸盤で構成されており、便蓋５の上側平面部５ｂに吸着させているので、見栄えが悪い。そのため、便蓋５に取り付けられた状態で吸盤の上側を覆い隠すようにシールを貼り付けるようにしてもよい。このシールは、例えば、花柄や音符などを象ったデザインが施されたものであり、利用者の心が安らぐようなものが好ましい。これにより、来客者がトイレを利用する際であっても、便蓋開閉具１０が取り付けてあることによって、便蓋５の見栄えを悪くすることがない。
【符号の説明】
【００４２】
１  洋式トイレ
２  便器
３  ロータンク
４  便座
５  便蓋
５ａ  縁部
５ｂ  上側平面部
６  回動軸
１０、５０  便蓋開閉具
１１、５１  取付部
１１ａ  起立壁
１２  把持部
１２ａ  傾斜部
１２ｂ  垂直部
１３  軸
５４  ねじ穴
５５  ねじ
５６  リム
Ｆ  押圧力
【図１】
0003198527.tif 000003
【図２】
0003198527.tif 000004
【図３】
0003198527.tif 000005
【図４】
0003198527.tif 000006
【図５】
0003198527.tif 000007
【図６】
0003198527.tif 000008
【手続補正書】
【提出日】平成27年5月13日(2015.5.13)
【手続補正１】
【補正対象書類名】実用新案登録請求の範囲
【補正対象項目名】全文
【補正方法】変更
【補正の内容】
【実用新案登録請求の範囲】
【請求項１】
洋式トイレの便蓋に取り付けられる便蓋開閉具であって、
前記便蓋に取り付けられる取付部と、
前記便蓋が閉じた状態で、前記取付部から上方に向かって延在し、上端部分が一般成人の腰部の高さ程度に位置する把持部と
を備えたことを特徴とする洋式トイレの便蓋開閉具。
【請求項２】
前記取付部は、前記便蓋の上側平面部に吸着される吸盤で構成されていることを特徴とする請求項１に記載の洋式トイレの便蓋開閉具。
【請求項３】
前記把持部の下端部分が前記取付部に対して回動自在に取り付けられていることを特徴とする請求項１または請求項２に記載の洋式トイレの便蓋開閉具。
【請求項４】
前記取付部が前記便蓋に取り付けられた状態で、前記取付部の上側を覆い隠すシールを備えたことを特徴とする請求項３に記載の洋式トイレの便蓋開閉具。